(57)【要約】【課題】イオン導入法による施療中、人体内を流れる電流を常に一定に保持するイオン導入器を提供する。【解決手段】イオン導入器は回路を流れる電流を一定した値に保持する電流調節器１４を備える。電流調節器１４は回路電流を検出する電流検出器１５と、この電流検出器１５から与えられる電流値と設定値とを比較して偏差に応じた操作信号を発生する調節器１６と、得られた操作信号に基づいてイオン導入回路に印可する電圧を調整する電圧調整器１７とからなる。【選択図】　図２
2004073613.tif 000002
【特許請求の範囲】
【請求項１】
イオン化した導入剤を人体の真皮に浸透させるイオン導入回路を備えてなるイオン導入器において、前記イオン導入回路が回路電流を一定に保持する電流調節器を備えることを特徴とするイオン導入器。
【請求項２】
前記電流調節器が該回路電流を検出する電流検出器と、この電流検出器から与えられる電流値と設定値とを比較して偏差に応じた操作信号を発生する調節器と、得られた操作信号に基づいて前記イオン導入回路に印可する電圧を調整する電圧調整器とを備えることを特徴とする請求項１に記載のイオン導入器。
【発明の詳細な説明】
【０００１】
【発明の属する技術分野】
本発明はイオン導入法による皮膚の施療において回路を流れる電流を常に一定に保持するのに好適なイオン導入器に関する。
【０００２】
【従来の技術】
肌への美容効果を高めるイオン導入法（イオントフォレーシス）が注目されている。これは微弱電流を皮膚に通電してイオン化した、たとえば、アスコルビン酸リン酸マグネシウム等のビタミンＣ誘導体などの水溶液（以下、導入剤と称する。）を皮膚の深部に浸透させる方法である。通常、この導入剤を皮膚の深部に安定に、しかも持続的に浸透させるのにイオン導入器が使用される。この装置の操作ではイオン導入器の電極部分を皮膚に当てて、たとえば、１ｍ　Ａの微弱電流を人体内に導く。
【０００３】
このとき、たとえば、電極に巻いた化粧用コットンなどに含ませた導入剤は表皮から真皮に到達し、肌の美容の維持に有効に作用する。すなわち、皮膚にシミ（肝斑）、ソバカス（雀卵性）あるいは一過性色素沈着（レーザ照射後）などの色素沈着を引き起こすメラニンの異常増加を抑制したり、またはいったん形成されたメラニンを脱色することが可能である。イオン導入器を用いる利点はこれに限られず、イオン導入前の洗顔後に、たとえば、スキン・トナーを用いて毛穴に詰まった汚れなどを取り除く、クレンジング効果を得ることも可能である。
【０００４】
【発明が解決しようとする課題】
ところで、イオン導入器によって導入剤を薬理作用を及ぼすべき真皮に浸透させるには電流をある時間継続して人体に流し続けなければならない。たとえば、イオン導入時、電流値を１ｍＡに保持するものとすれば、沈着したメラニンに薬理作用のある、ビタミンＣ誘導体を真皮に浸透させるのに必要な時間はおよそ５〜１０分である。すなわち、表皮から離れた真皮に対して薬理作用を及ぼすには十分な時間を掛ける必要がある。
【０００５】
しかしながら、通常、人体内を流れる電流値は皮膚表面での発汗あるいは水分、油分等の有無など、使用時の皮膚状態の変化により変動するので、時間だけを掛けたとしても、イオン導入中に電流が予想外に低下するなどの事態に陥ったとき、導入時間に見合うだけの薬理効果を得ることができない。真皮まで導入剤を浸透させるには必要とされる電流値を不断に保持し続けなければならいが、このための望ましい手段は見出されていない。
【０００６】
そこで、本発明の目的はイオン導入法による施療中、人体内を流れる電流を常に一定に保持することを可能にしたイオン導入器を提供することにある。
【０００７】
【課題を解決するための手段】
本発明はイオン化した導入剤を人体の真皮に浸透させるイオン導入回路を備えてなるイオン導入器において、イオン導入回路が回路電流を一定に保持する電流調節器を備えることを特徴とするものである。
【０００８】
上記構成からなるイオン導入器においてはイオン導入中、表皮に水分、油分が存在するなど、皮膚の状態の変化によってイオン導入回路を流れる電流が変化するときも、検出された電流値に応じて電圧を調整することで、電流を常に一定に保持することが可能になる。これにより、イオン導入における導入剤の薬理効果を高めることができる。
【０００９】
上記電流調節器は、望ましくは、回路電流を検出する電流検出器と、この電流検出器から与えられる電流値と設定値とを比較して偏差に応じた操作信号を発生する調節器と、得られた操作信号に基づいてイオン導入回路に印可する電圧を調整する電圧調整器とを備える。
【００１０】
【発明の実施の形態】
本発明に係るイオン導入器の一実施の形態について図面を参照して説明する。図１において、本発明のイオン導入器は直流電圧のもとで動作する、後に詳述されるイオン導入回路を備える。この回路は電源（後記）と共にケーシング１内に収容されている。この回路はケーシング１の上面のスイッチ２によって閉路、あるいは開路する。このスイッチ２の開閉では、それに近い発光ダイオード３が発光、または消光し、回路の動作状態を確認することができる。
【００１１】
また、イオン導入器はケーシング１の側面に電源の正極および負極と接続する２つの端子４、５を備えると共に、この端子４、５と結ぶ２つの電極６、７を有する。この電極６、７は、使用中、直接皮膚に当接され、人体内に微弱電流を導く。
【００１２】
イオン導入回路およびそれに付設される電流調節器について説明する。図２において、この回路は電池１１、スイッチ２および２つの抵抗１２、１３を備える。スイッチ２および２つの抵抗１２、１３は電池１１の正極とそれぞれ直列に接続されている。この抵抗１２、１３によって人体内を流れる電流値を使用者に不快感を与えない、たとえば、１ｍＡに下げることができる。
【００１３】
また、回路には回路電流を予め決められた値に保持する電流調節器１４が設けられる。この電流調節器１４は回路を流れる電流を検出する電流検出器１５と、検出された電流値と設定値とを突き合わせ、得られた偏差に応じて操作信号を発生する調節器１６と、得られた操作信号に基づいて回路に印加する電圧を調整する電圧調整器１７とから構成される。なお、図中符号１８は決められたイオン導入時間を設定するためのタイマを示している。
【００１４】
本実施の形態は上記構成からなるもので、イオン導入時、一方の手に正極と導通している電極７を持ち、他方の手で３〜７％のアスコルビン酸リン酸マグネシウム水溶液を染み込ませた化粧用コットンを巻いた、負極と導通する電極６を施療対象の顔に押し当てる。スイッチ２を押して微弱電量、たとえば、１ｍＡを流しながら、皮膚面に沿って電極６を滑らせて一定の時間（タイマ設定時間５〜１０分）イオン導入を行う。
【００１５】
皮膚内では負に帯電したアスコルビン酸リン酸マグネシウム水溶液がアスコルビン酸と、リン酸マグネシウムとに分離し、薬理作用のある、アスコルビン酸が表皮細胞の新陳代謝を促し、細胞間のヒアルロン酸の量を増し、皮膚に有効に働く。すなわち、施療部分の肌がみずみずしくなり、小じわが消えて張りを持つようになる。
【００１６】
このイオン導入中、電流検出器１５によって回路を流れる電流が検出される。検出された電流信号は調節器１６に入力され、そこで設定値と比較され、偏差が求められる。たとえば、設定値よりも電流信号が大きいとき、偏差を零にするように、調節器１６からより電流を制限する操作信号が電圧調整器１７に出力される。この結果、電圧調整器１７内で微量抵抗が変化し、回路に印加される電圧が低下する。一方、設定値よりも電流信号が小さいとき、偏差を零にするように、調節器１６からより電流を増大する操作信号が電圧調整器１７に出力される。この結果、電圧調整器１７内で微量抵抗が変化し、回路に印加される電圧が上昇する。
【００１７】
このように、本実施の形態のイオン導入器では、イオン導入中、たとえば、表皮に水分が存在するなど、皮膚状態の変化によって回路を流れる電流が変化するときも、検出された電流値に応じて電圧を調整することにより電流を常に一定に保持することが可能になる。これにより、イオン導入における導入剤の薬理効果を一段と高めることができる
【００１８】
【発明の効果】
本発明によれば、イオン導入回路に電流調節器を設けているので、イオン導入中、皮膚の状態の変化によってイオン導入回路を流れる電流が変化するときも、検出された電流値に応じて電圧を調整することで、電流を常に一定に保持することが可能になる。これにより、イオン導入における導入剤の薬理効果を高めることができる。
【図面の簡単な説明】
【図１】本発明に係るイオン導入器を示す斜視図である。
【図２】本発明によるイオン導入回路に付設される電流調節器を示す構成図である。
【符号の説明】
６、７…　電極
１１…　電池
１４…　電流調節器
１５…　電流検出器
１６…　調節器
１７…　電圧調整器
【図１】
2004073613.tif 000003
【図２】
2004073613.tif 000004